(57)【要約】【課題】調整ピンの誤操作を抑制することができる可変減衰器を提供する。【解決手段】減衰器本体２に対して複数の調整ピン３ａ〜３ｅをスライド自在な状態で覆うカバー部材４に、各調整工具５ａ〜５ｅの係合部１６を挿入可能な複数の挿入孔４２ａ〜４２ｅと、互いに異なる形状の複数の鍵孔４３ａ〜４３ｅとが、各調整ピン３ａ〜３ｅに対応する位置にそれぞれ形成されている。各調整工具５ａ〜５ｅの先端部には、前記複数の鍵孔４３ａ〜４３ｅのうちいずれか一の鍵孔のみに挿入可能な断面形状であってかつ当該各調整工具５ａ〜５ｅそれぞれが互いに異なる形状の鍵部１７を形成している。【選択図】図２
2013055531.tif 000002
【特許請求の範囲】
【請求項１】
ケース内に互いに特性インピーダンスが異なる複数の減衰回路を有し、各減衰回路に入力された信号のレベルを減衰させて出力する減衰器本体と、
先端側が前記減衰器本体のケース内にスライド可能に挿入され、前記ケース内への挿入深さを調整することにより前記複数の減衰回路の抵抗値を個別に調整可能な複数の調整ピンと、
前記減衰器本体に設けられ、前記調整ピンをスライド自在な状態で覆うカバー部材と、
前記調整ピンに係合して当該調整ピンをスライド操作可能な係合部を先端部に有する、当該調整ピンと同数個の調整工具とを備える可変減衰器であって、
前記カバー部材には、前記各調整工具の係合部の少なくとも先端部を当該カバー部材の内部へ挿入可能な複数の挿入孔と、互いに異なる形状の複数の鍵孔とが、前記各調整ピンに対応する位置にそれぞれ形成されており、
前記各調整工具の先端部には、前記複数の鍵孔のうちいずれか一の鍵孔のみに挿入可能な断面形状であってかつ当該各調整工具それぞれが互いに異なる形状の鍵部を形成していることを特徴とする可変減衰器。
【請求項２】
前記各鍵部及び各鍵孔は、それぞれ対応する減衰回路の特性インピーダンスを示す数字の形状とされている請求項１に記載の可変減衰器。
【請求項３】
前記鍵部の先端面が、前記調整ピンを押圧する押圧面とされている請求項１又は２に記載の可変減衰器。
【発明の詳細な説明】
【技術分野】
【０００１】
本発明は、互いに特性インピーダンスが異なる複数の減衰回路の抵抗値を、調整工具を用いて個別に調整可能な可変減衰器に関する。
【背景技術】
【０００２】
従来より、電気所の監視制御システムでは、光回線やマイクロ回線等を使用して変電機器の制御等が行われている。これらの回線は、その回線レベルが規定値に決められているため、定期点検毎に回線レベルが規定値内であるか否かの確認作業が行われる。その確認作業において、回線レベルが規定値から外れている場合は、その回線レベルを規定値内に調整するために、抵抗値を調整可能な複数の減衰回路を有する可変減衰器（ＡＴＴ）を用いる場合がある（例えば、特許文献１参照）。
【０００３】
図７は、従来の可変減衰器を示す概略側断面図である。この可変減衰器１０１は、互いに特性インピーダンスが異なる複数の減衰回路（図示省略）を有するとともに各減衰回路に入力された信号のレベルを減衰させて出力する減衰器本体１０２と、先端側が減衰器本体１０２のケース１０２ａ内にスライド可能に挿入されるとともにケース１０２ａ内への挿入深さを調整することにより複数の減衰回路の抵抗値を調整可能な複数の調整ピン１０３とを備えている。各調整ピン１０３は、減衰器本体１０２に着脱可能に固定されたカバー部材１０４により覆われて保護されており、このカバー部材１０４を減衰器本体１０２から取り外して、ラジオペンチやワニグチクリップ等を用いて各調整ピン１０３をスライドさせることにより、抵抗値を個別に調整することができる。
【先行技術文献】
【特許文献】
【０００４】
【特許文献１】特開２００６−３２４５２２号公報（図１０及び図１１参照）
【発明の概要】
【発明が解決しようとする課題】
【０００５】
上記可変減衰器１０１が設置される場所では、複数の調整ピン１０３を狭い空間に配置せざるを得ない場合がある。この場合、小型に形成された複数の調整ピン１０３が、前記狭い空間において互いに隣接して配置されることになるため、これら複数の調整ピン１０３のうち一の調整ピン１０３をスライド操作する際に、誤って他の調整ピン１０３を操作することが頻発し、調整作業に多大な時間を要するという問題があった。
本発明は、前記問題点に鑑みてなされたものであり、調整ピンの誤操作を抑制することができる可変減衰器を提供することを目的とする。
【課題を解決するための手段】
【０００６】
前記目的を達成するための本発明の可変減衰器は、ケース内に互いに特性インピーダンスが異なる複数の減衰回路を有し、各減衰回路に入力された信号のレベルを減衰させて出力する減衰器本体と、先端側が前記減衰器本体のケース内にスライド可能に挿入され、前記ケース内への挿入深さを調整することにより前記複数の減衰回路の抵抗値を個別に調整可能な複数の調整ピンと、前記減衰器本体に設けられ、前記調整ピンをスライド自在な状態で覆うカバー部材と、前記調整ピンに係合して当該調整ピンをスライド操作可能な係合部を先端部に有する、当該調整ピンと同数個の調整工具とを備える可変減衰器であって、前記カバー部材には、前記各調整工具の係合部の少なくとも先端部を当該カバー部材の内部へ挿入可能な複数の挿入孔と、互いに異なる形状の複数の鍵孔とが、前記各調整ピンに対応する位置にそれぞれ形成されており、前記各調整工具の先端部には、前記複数の鍵孔のうちいずれか一の鍵孔のみに挿入可能な断面形状であってかつ当該各調整工具それぞれが互いに異なる形状の鍵部を形成していることを特徴としている。
【０００７】
本発明によれば、各調整工具の鍵部がカバー部材の対応する鍵孔にのみ挿入可能であるので、その鍵孔に対応する調整ピンのみに調整工具の係合部を係合させて当該調整ピンをスライド操作することができる。これにより、複数の調整ピンのうち一の調整ピンをスライド操作する際に、誤って他の調整ピンをスライド操作するのを抑制することができる。したがって、可変減衰器の調整作業を容易に行うことができる。
【０００８】
前記各鍵部及び各鍵孔は、それぞれ対応する減衰回路の特性インピーダンスを示す数字の形状とされていることが好ましい。この場合、各鍵部の数字の形状から、各減衰回路の特性インピーダンスに対応する調整工具を容易に見分けることができる。このため、調整工具の選択を間違えることにより、調整が不要な減衰回路を調整するのを防止することができる。したがって、調整ピンの誤操作をさらに効果的に抑制することができる。
【０００９】
前記可変減衰器は、前記鍵部の先端面が、前記調整ピンを押圧する押圧面とされていることが好ましい。この場合、鍵部の端面を、押圧面として兼用することができるため、調整工具の構造を簡略化することができる。
【発明の効果】
【００１０】
本発明の可変減衰器によれば、調整ピンの誤操作を防止することができるため、調整作業を容易に行うことができる。
【図面の簡単な説明】
【００１１】
【図１】本発明の一実施形態に係る可変減衰器を示す側断面図である。
【図２】上記可変減衰器のカバー部材を示す正面図である。
【図３】上記可変減衰器の調整工具の平面断面図であり、（ａ）は調整工具のフックが最も開脚した状態を示し、（ｂ）は調整工具のフックが閉脚した状態を示している。
【図４】上記調整工具の正面図である。
【図５】上記可変減衰器の調整ピンを引き出すときの手順を示す調整工具の概略平面図である。
【図６】上記可変減衰器の調整ピンを押し込むときの手順を示す調整工具の概略平面図である。
【図７】従来の可変減衰器を示す側断面図である。
【発明を実施するための形態】
【００１２】
以下、図面を参照しつつ、本発明の実施形態を説明する。
図１は、本発明の一実施形態に係る可変減衰器を示す側断面図である。図１において、可変減衰器１は、抵抗値を調整可能な減衰器本体２と、この減衰器本体２に対してスライド自在に設けられた複数（本実施形態では５個）の調整ピン３ａ〜３ｅと、これらの調整ピン３ａ〜３ｅを覆うカバー部材４と、調整ピン３ａ〜３ｅをそれぞれスライド操作する、調整ピン３ａ〜３ｅと同数個（５個）の調整工具５ａ〜５ｅとを備えている。減衰器本体２は、ケース２ａ内に互いに特性インピーダンスが異なる複数の減衰回路（図示省略）を内蔵したものであり、各減衰回路に入力された信号のレベルを減衰させて出力するようになっている。
【００１３】
複数の調整ピン３ａ〜３ｅは、減衰器本体２のケース２ａの前面２ａ１に上下方向に所定間隔を空けて直列に配置されており、上から順に第１調整ピン３ａ、第２調整ピン３ｂ、第３調整ピン３ｃ、第４調整ピン３ｄ及び第５調整ピン３ｅからなる。
第１〜第５調整ピン３ａ〜３ｅは、先端側がケース２ａ内に水平方向へスライド可能に挿入されたピン本体３ａ１〜３ｅ１と、このピン本体３ａ１〜３ｅ１の長手方向一端部に固定されたフランジ部３ａ２〜３ｅ２とを有している。
【００１４】
また、第１〜第５調整ピン３ａ〜３ｅは、ピン本体３ａ１〜３ｅ１のケース２ａ内への挿入深さをそれぞれ調整することにより、前記複数の減衰回路の抵抗値を個別に調整するようになっている。具体的には、第１調整ピン３ａは特性インピーダンスが１６Ωの減衰回路、第２調整ピン３ｂは特性インピーダンスが８Ωの減衰回路、第３調整ピン３ｃは特性インピーダンスが４Ωの減衰回路、第４調整ピン３ｄは特性インピーダンスが２Ωの減衰回路、第５調整ピン３ｅは特性インピーダンスが１Ωの減衰回路の抵抗値をそれぞれ調整するようになっている。
【００１５】
カバー部材４は、例えば透明の合成樹脂材によって、後側（図１の右側）が開口した箱形状に形成されており、第１〜第５調整ピン３ａ〜３ｅをスライド自在に覆った状態で、ケース２ａの前面２ａ１に後端縁が固定されている。カバー部材４の前面４１には、調整工具５ａ〜５ｅを挿入するための複数の挿入孔４２ａ〜４２ｅ及び複数の鍵孔４３ａ〜４３ｅが、第１〜第５調整ピン３ａ〜３ｅに対応する位置にそれぞれ形成されている。
【００１６】
図２は、カバー部材４を示す正面図である。図２において、複数の挿入孔４２ａ〜４２ｅは、上から順に第１挿入孔４２ａ、第２挿入孔４２ｂ、第３挿入孔４２ｃ、第４挿入孔４２ｄ及び第５挿入孔４２ｅからなる。第１〜第５挿入孔４２ａ〜４２ｅは、いずれも左右方向に真っ直ぐ延びる同一形状の長孔とされており、調整工具５ａ〜５ｅの少なくとも係合部１６のフック１６ａの先端部がカバー部材４の内部へ挿入されるようになっている。本実施形態では、カバー部材４の高さＬ１は、２０〜３０ｍｍに設定され、第１〜第５挿入孔４２ａ〜４２ｅの各幅ｄ１〜ｄ５は、３〜５ｍｍに設定されている。
【００１７】
複数の鍵孔４３ａ〜４３ｅは、上から順に第１鍵孔４３ａ、第２鍵孔４３ｂ、第３鍵孔４３ｃ、第４鍵孔４３ｄ及び第５鍵孔４３ｅからなり、それぞれが互いに異なる形状とされている。本実施形態における第１〜第５鍵孔４３ａ〜４３ｅは、それぞれの鍵孔４３ａ〜４３ｅに対応する第１〜第５調整ピン３ａ〜３ｅで調整可能な減衰回路の特性インピーダンスを示す数字の形状とすることにより、互いに異なる形状とされている。
【００１８】
具体的には、第１鍵孔４３ａはこれに対応する第１調整ピン３ａで調整可能な減衰回路の特性インピーダンスを示す「１６」の形状とされ、第２鍵孔４３ｂはこれに対応する第２調整ピン３ｂで調整可能な減衰回路の特性インピーダンスを示す「８」の形状とされている。同様に、第３鍵孔４３ｃはこれに対応する第３調整ピン３ｃで調整可能な減衰回路の特性インピーダンスを示す「４」の形状とされ、第４鍵孔４３ｄはこれに対応する第４調整ピン３ｄで調整可能な減衰回路の特性インピーダンスを示す「２」の形状とされ、第５鍵孔４３ｅはこれに対応する第５調整ピン３ｅで調整可能な減衰回路の特性インピーダンスを示す「１」の形状とされている。
第１〜第５鍵孔４３ａ〜４３ｅは、それぞれ対応する第１〜第５挿入孔４２ａ〜４２ｅと一部重複するように形成されており、その重複部分は互いに連続する一つの孔として形成されている。
【００１９】
図１において、調整工具５ａ〜５ｅは、第１調整ピン３ａをスライド操作する第１調整工具５ａ、第２調整ピン３ｂをスライド操作する第２調整工具５ｂ、第３調整ピン３ｃをスライド操作する第３調整工具５ｃ、第４調整ピン３ｄをスライド操作する第４調整工具５ｄ及び第５調整ピン３ｅをスライド操作する第５調整工具５ｅからなる。第１〜第５調整工具５ａ〜５ｅは、後述する鍵部１７以外は同様の構成であるため、本明細書では、第５調整工具５ｅについて説明し、第１〜第４調整工具５ａ〜５ｄの説明は省略する。
【００２０】
図３（ａ）及び（ｂ）は第５調整工具５ｅの平面断面図であり、図４は第５調整工具５ｅの正面図である。図３（ａ），（ｂ）及び図４において、第５調整工具５ｅは、有底円筒状に形成された工具本体１１と、この工具本体１１内の軸線に沿って往復移動可能に設けられた棒状の移動体１２と、この移動体１２を工具本体１１内の底部側（図３（ａ），（ｂ）の左側）に付勢する付勢部材１３と、移動体１２を移動操作する操作部材１４とを備えている。
【００２１】
付勢部材１３は、例えば引張コイルばねからなり、付勢部材１３の一端は工具本体１１内の底部に支持され、付勢部材１３の他端は移動体１２の基端部（図３（ａ），（ｂ）の左端部）に支持されている。
操作部材１４は、工具本体１１の外周部に沿って軸方向にスライド可能に配置されており、工具本体１１に形成された長孔からなる連通孔１１ａに挿通した連結部材１５を介して、移動体１２に連結されている。これにより、工具本体１１の外側から操作部材１４をスライド操作することで、工具本体１１内に配置された移動体１２を軸方向に移動させることができる。
【００２２】
第５調整工具５ｅは、工具本体１１の先端部に配置された係合部１６及び鍵部１７をさらに備えている。係合部１６は、第５調整ピン３ｅのフランジ部３ｅ２に係合して第５調整ピン３ｅをスライドさせるものであり（図１参照）、双脚状のフック１６ａと、前記フランジ部３ｅ２の端面に当接して押圧する押圧面１６ｂとによって構成されている。
【００２３】
双脚状のフック１６ａは、移動体１２の先端部にヒンジ１８を介して開閉脚可能に設けられ、図示しない付勢手段により常に開脚方向に付勢されている。そして、フック１６ａの長手方向中途部は、前記付勢手段の付勢力によって、工具本体１１の開口端１１ｂに常に当接している。これにより、図３（ｂ）に示すように、移動体１２が付勢部材１３の付勢力により工具本体１１の底部側に付勢された状態では、各フック１６ａは、その長手方向の略中央部が工具本体１１の開口端１１ｂと当接し、付勢手段の付勢力を抗して閉脚した状態に保持されている。この閉脚した状態では、フック１６ａの先端は、押圧面１６ｂよりも後方（図３（ｂ）の左側）に配置された状態となる。
【００２４】
そして、図３（ａ）に示すように、移動体１２を工具本体１１の先端部側に移動させると、各フック１６ａは、前方（図３（ａ）の右側）へ移動して前記開口端１１ｂとの当接部分が基端部側へ移動することにより、前記付勢手段の付勢力によって最も開脚した状態となる。この最も開脚した状態で、各フック１６ａの先端部同士の離反距離Ｌ２は、第５調整ピン３ｅのフランジ部３ｅ２の外径Ｄよりも長くなるように設定されている。また、各フック１６ａの先端は、前方へ移動することにより、押圧面１６ｂよりも前方へ突出した状態となる。
【００２５】
鍵部１７は、工具本体１１の開口端１１ｂにおいて、フック１６ａの開閉脚を阻害しないように、開口端１１ｂよりも前方に突出して固定されている。第１〜第５調整工具５ａ〜５ｅの鍵部１７は、それぞれが互いに異なる形状とされており、かつカバー部材４の第１〜第５鍵孔４３ａ〜４３ｅのうちいずれか一の鍵孔のみに挿入可能な断面形状とされている。具体的には、第５調整工具５ｅの鍵部１７は、図４に示すように、第５鍵孔４３ｅの形状である「１」に挿入可能な断面形状とされている。
【００２６】
同様に、第１〜第４調整工具５ａ〜５ｄの各鍵部１７は、図示しないが、第１〜第４鍵孔４３ａ〜４３ｄの形状である「１６」、「８」、「４」及び「２」にそれぞれ挿入可能な断面形状とされている。すなわち、第１〜第５調整工具５ａ〜５ｅの鍵部１７は、それぞれ対応する第１〜第５調整ピン３ａ〜３ｅでそれぞれ調整可能な減衰回路の特性インピーダンスを示す数字の立体形状とされている。鍵部１７の前端面は、係合部１６の前記押圧面１６ｂとされている（図３（ａ），（ｂ）及び図４参照）。
【００２７】
以上の構成により、第１〜第５調整工具５ａ〜５ｅの各鍵部１７をその断面形状を挿入可能な第１〜第５鍵孔４３ａ〜４３ｅに挿入することで、これに対応する第１〜第５挿入孔４２ａ〜４２ｅに各係合部１６のフック１６ａが挿入され、この第１〜第５挿入孔４２ａ〜４２ｅに対応する第１〜第５調整ピン３ａ〜３ｅに前記フック１６ａ及び押圧面１６ｂが係合（当接）可能となる。
【００２８】
次に、可変減衰器１における各減衰回路の抵抗値の調整方法について、図３、図５及び図６を参照しながら説明する。この調整方法は、第１〜第５調整工具５ａ〜５ｅを用いて、第１〜第５調整ピン３ａ〜３ｅをそれぞれスライドさせることによって行われるが、いずれも同様の手順で行われるため、本明細書では、第５調整工具５ｅを用いて第５調整ピン３ｅをスライドさせる場合について説明する。
【００２９】
まず、第５調整ピン３ｅをケース２ａから引き出す方向にスライドさせる場合は、図３（ｂ）に示すにように、第５調整工具５ｅのフック１６ａを閉脚した状態から、操作部材１４を前方へスライドさせ、移動体１２を付勢部材１３の付勢力を抗して、工具本体１１の先端部側へ移動させる。これにより、フック１６ａは、図３（ａ）に示すように、鍵部１７よりも前方へ突出するとともに最も開脚した状態となる。
【００３０】
次に、この状態を保持しながら、第５調整工具５ｅの鍵部１７をその形状に合致するカバー部材４の第５鍵孔４３ｅに挿入するとともに、フック１６ａをカバー部材４の第５挿入孔４２ｅに挿入し、図５（ａ）に示すように、そのフック１６ａの先端が第５調整ピン３ｅのフランジ部３ｅ２よりも減衰器本体２の前面２ａ１側に位置するまで第５調整工具５ｅを前方（図５（ａ）の右側）へ移動させる。
【００３１】
この状態から操作部材１４の前方へのスライド操作を解除すると、フック１６ａの先端は、付勢部材１３の付勢力により移動体１２とともに後方へ移動しながら閉脚し、図５（ｂ）の示すように、第５調整ピン３ｅのフランジ部３ｅ２に左右から挟み込むように係合する。このように係合した状態から、第５調整工具５ｅ全体を後方（図５（ｂ）の左側）へ移動させると、前記フランジ部３ｅ２がフック１６ａに引っ張られることにより、第５調整ピン３ｅは、図５（ｃ）に示すように、ケース２ａから引き出された状態となる。
【００３２】
次に、第５調整ピン３ｅをケース２ａ側へ押し込む方向にスライドさせる場合は、第５調整工具５ｅのフック１６ａを閉脚した状態（図５（ｂ）の状態）のまま、図６（ａ）に示すにように、第５調整工具５ｅの鍵部１７をその形状に合致するカバー部材４の第５鍵孔４３ｅに挿入する。そして、第５調整工具５ｅを前方（図６（ａ）の右側）へ移動させると、、図６（ｂ）に示すように、第５調整工具５ｅの押圧面１６ｂが第５調整ピン３ｅのフランジ部３ｅ２の端面に当接する。
【００３３】
この当接した状態から、さらに第５調整工具５ｅを前方へ押し込むと、第５調整ピン３ｅのフランジ部３ｅ２が押圧面１６ｂに押圧されることにより、第５調整ピン３ｅは、図６（ｃ）に示すように、ケース２ａ内に押し込まれた状態となる。
【００３４】
以上のように構成された可変減衰器１によれば、各調整工具５ａ〜５ｅの鍵部１７がカバー部材４の対応する鍵孔４３ａ〜４３ｅにのみ挿入可能であるので、その鍵孔４３ａ〜４３ｅに対応する調整ピン３ａ〜３ｅのみに調整工具５ａ〜５ｅの係合部１６を係合させて当該調整ピン３ａ〜３ｅをスライド操作することができる。これにより、複数の調整ピン３ａ〜３ｅのうち一の調整ピンをスライド操作する際に、誤って他の調整ピンをスライド操作するのを抑制することができる。したがって、可変減衰器１の調整作業を容易に行うことができる。
また、減衰器本体２からカバー部材４を取り外すことなく、各調整工具５ａ〜５ｅにより第１〜第５調整ピン３ａ〜３ｅをそれぞれスライド操作することができるため、調整作業を効率的に行うことができる。
【００３５】
また、各調整工具５ａ〜５ｅの鍵部１７及びカバー部材４の各鍵孔４３ａ〜４３ｅは、それぞれ対応する減衰回路の特性インピーダンスを示す数字の形状とされているため、各鍵部１７の数字の形状から、各減衰回路の特性インピーダンスに対応する調整工具５ａ〜５ｅを容易に見分けることができる。このため、調整工具５ａ〜５ｅの選択を間違えることにより、調整が不要な減衰回路を調整するのを防止することができる。
【００３６】
また、各調整工具５ａ〜５ｅの鍵部１７の端面を、係合部１６の押圧面１６ｂとして兼用しているため、調整工具５ａ〜５ｅの構造を簡略化することができる。
【００３７】
なお、本発明は上記実施形態に限定されるものではない。例えば、本実施形態では、各調整工具の鍵部及びカバー部材の複数の鍵孔を、それぞれ互いに異なる形状とするために、減衰回路の特性インピーダンスを示す数字の形状としているが、多角形や円形等の他の形状としてもよい。この場合、カバー部材には各鍵孔の隣接してこれに対応する減衰回路の特性インピーダンスの数値を表示すれば、調整ピンの誤操作を抑制することができる。
また、カバー部材の挿入孔は、調整工具の係合部の少なくとも先端部を挿入可能としているが、係合部の全体を挿入可能としてもよい。
【００３８】
さらに、鍵部の前端面を、係合部の押圧面としているが、係合部のフック先端を閉脚時に鍵部の前端面よりも前方に突出させた状態とし、そのフック先端を調整ピンのフランジ部に当接させて押圧する押圧面としてもよい。
また、調整ピンの個数は、特性インピーダンスの種類に応じて任意に設定することができ、鍵孔及び調整工具の個数も、調整ピンの個数に合わせて任意に設定することができる。
【符号の説明】
【００３９】
１    可変減衰器
２    減衰器本体
２ａ  ケース
３ａ〜３ｅ    調整ピン
４    カバー部材
５ａ〜５ｅ    調整工具
１６    係合部
１６ｂ  押圧面
１７    鍵部
４２ａ〜４２ｅ    挿入孔
４３ａ〜４３ｅ    鍵孔
【図１】
2013055531.tif 000003
【図２】
2013055531.tif 000004
【図３】
2013055531.tif 000005
【図４】
2013055531.tif 000006
【図５】
2013055531.tif 000007
【図６】
2013055531.tif 000008
【図７】
2013055531.tif 000009